(57)【要約】【課題】簡単な構造で、ＰＴＰシートを安全に収納保持することができ、簡単な操作により、ＰＴＰシートを台紙付きの状態で取り出すことができる包装用箱を提供する。【解決手段】ＰＴＰシート７８を取り付ける台紙１３と、台紙１３を収容する箱体１１とが、分離用切断線６６を介して一体に形成されている。箱体１１は、開封用切断線３８を有し、開封用切断線３８は、破断して開封すると、台紙１３の一部が露出する。分離用切断線６６は、箱体１１の折罫線２８，３０と平行であるとともに、開封された台紙１３の引き出し方向と平行である。【選択図】図１
2018002177.tif 000002
【特許請求の範囲】
【請求項１】
収容物を内側に収容した突出部と前記突出部の周囲に設けられたフランジ部を有するプラスチック成形体に、破断可能な蓋材シートが貼り付けられて前記突出部の開口部が閉鎖されたＰＴＰシートを取り付ける台紙と、前記台紙を収容する箱体とが、分離用切断線を介して一体に形成され、前記箱体には開封用切断線が設けられ、前記開封用切断線は、破断して開封すると収容された前記台紙の一部が露出する位置に設けられていることを特徴とする包装用箱。
【請求項２】
前記箱体は、筒体を形成する複数の側面が設けられ、前記側面の連接方向の端部に位置する一側面の側縁部に、前記分離用切断線を介して前記台紙が設けられ、前記分離用切断線は、前記側面の連接方向に交差して設けられている請求項１記載の包装用箱。
【請求項３】
前記分離用切断線は、前記箱体の前記複数の側面を区切る折罫線と平行に設けられているとともに、前記開封用切断線により開封されて露出した前記台紙の引き出し方向と平行である請求項２記載の包装用箱。
【請求項４】
前記箱体を形成する一側面には、前記台紙に保持されている前記ＰＴＰシートの前記突出部に一致する透孔が設けられている請求項３記載の包装用箱。
【発明の詳細な説明】
【技術分野】
【０００１】
この発明は、ＰＴＰシートに台紙を取り付け、さらに箱体の内側に包装する包装用箱に関する。
【背景技術】
【０００２】
従来、ＰＴＰ（プレススルーパッケージ）シートに紙製等の台紙を取り付けて、取り扱いを容易にするとともに、台紙に薬剤についての情報を印刷して多くの情報を消費者に伝えるものがある。さらに、ＰＴＰシートを取り付けた台紙の外側を、箱体や筒体で包装するものもある。
【０００３】
例えば、特許文献１に開示されているプレススルーパック角状包装体ケースは、ＰＴＰシートを、上蓋面板、側面板、底面板、内蓋面板で覆うとともに角筒状に形成されている。内蓋面板には、ＰＴＰシートの凹設収容部と同等の配列に孔が設けられ、ＰＴＰシートが取り付けられている。収容物を取り出す時は、ＰＴＰシートを分離することなしに、容易に取り出すことができる。
【先行技術文献】
【特許文献】
【０００４】
【特許文献１】特開２００３−３２１０７５号公報
【発明の概要】
【発明が解決しようとする課題】
【０００５】
上記背景技術の場合、ＰＴＰシートに収容されている収容物を取り出す時は、角筒状に組み立てられたケースを、差込片による係止を解除して、上蓋面板、側面板、底面板、内蓋面板を平坦に開かなければならず、手間がかかるものである。また、ＰＴＰシートを挟む内蓋面板は、ケースから外して使用することができず、ケースから取り出した収容物の紛失を防ぐものではない。
【０００６】
この発明は、上記背景技術の問題点に鑑みてなされたものであり、簡単な構造で、ＰＴＰシートを安全に収納保持することができ、簡単な操作により、ＰＴＰシートを台紙付きの状態で取り出すことができる包装用箱を提供することを目的とする。
【課題を解決するための手段】
【０００７】
本発明は、薬剤等の収容物を内側に収容した突出部と前記突出部の周囲に設けられたフランジ部を有するプラスチック成形体に、破断可能な蓋材シートが貼り付けられて前記突出部の開口部が閉鎖されたＰＴＰシートを取り付ける台紙と、前記台紙を収容する箱体とが、分離用切断線を介して一体に形成され、前記箱体には開封用切断線が設けられ、前記開封用切断線は、破断して開封すると収容された前記台紙の一部が露出する位置に設けられている包装用箱である。前記開封用切断線を破断して露出した前記台紙を引くと、前記分離用切断線が破断されて前記箱体との連結が解除され、前記台紙が取り出し可能となる。
【０００８】
前記箱体は、筒体を形成する複数の側面が設けられ、前記側面の連接方向の端部に位置する一側面の側縁部に、前記分離用切断線を介して前記台紙が設けられ、前記分離用切断線は、前記側面の連接方向に交差して設けられている。
【０００９】
前記分離用切断線は、前記箱体の前記複数の側面を区切る折罫線と平行に設けられているとともに、前記開封用切断線により開封されて露出した前記台紙の引き出し方向と平行である。
【００１０】
前記箱体を形成する一側面には、前記台紙に保持されている前記ＰＴＰシートの前記突出部に一致する透孔が設けられている。
【発明の効果】
【００１１】
本発明の包装用箱は、簡単な構造で、ＰＴＰシートを安全に箱体で収納保持することができ、誤飲を防ぐとともに、目につきやすい状態で置いておくことができるので飲み忘れも防止することができる。また、簡単な操作により、ＰＴＰシートを台紙付きの状態で取り出すことができ、取り扱いやすいものであり、箱体から取り出した後に、台紙に印刷された情報を確認することができる。
【図面の簡単な説明】
【００１２】
【図１】この発明の第一実施形態の包装用箱の、箱体から台紙を取り出した状態を示す斜視図である。
【図２】この発明の第一実施形態の包装用箱の、箱体の開封用切断線を破断した状態を示す斜視図である。
【図３】この発明の第一実施形態の包装用箱の斜視図である。
【図４】この発明の第一実施形態の包装用箱の展開図である。
【図５】この発明の第二実施形態の包装用箱の、箱体から台紙を取り出した状態を示す斜視図である。
【図６】この発明の第二実施形態の包装用箱の展開図である。
【発明を実施するための形態】
【００１３】
以下、この発明の実施形態について図面に基づいて説明する。図１〜図４はこの発明の第一実施形態を示すもので、この実施形態の包装用箱１０は、紙製等の一枚のブランクシートで形成された箱体形成片１２を組み立てて設けられている。図４は、箱体形成片１２を表面から見た展開図であり、箱体形成片１２は、収容物である錠剤８２等が入れられた後述のＰＴＰシート７８を収容する箱体１１を形成するもので、側面１４，１６，１８，２０が、互いに平行に連接して形成されている。側面１４，１６，１８，２０は、連接方向と直交する幅方向の長さは互いに同じ長さであり、それと直交する長さは側面１４，１８が短くて互いにほぼ等しく、側面１６，２０が長くて互いにほぼ等しい。側面１４の側縁部には、包装用箱１０の組み立て状態で側面２０の表面に糊付けされる覆い片２２が設けられている。覆い片２２、側面１４，１６，１８，２０は、各々折罫線２４，２６，２８，３０で区切られている。
【００１４】
覆い片２２は、側面１４との連接方向の幅が側面１４よりも少し長く設けられ、側面１４との連接方向に交差する長さは側面１４とほぼ同じである。覆い片２２には、側面１４との連接方向に対して略平行な折罫線３２が設けられ、折罫線３２は、覆い片２２の、側面１４との連接方向に対して略平行な一方の端部２２ａの近傍に設けられている。
【００１５】
側面１４の、側面同士の連接方向に対して直角な方向の両端部には、矩形のフラップ３４が折罫線３６で区切られて各々設けられている。側面１４には、覆い片２２の折罫線３２に連続する開封用切断線３８が設けられている。開封用切断線３８は、途中の一か所で切り残され、連結部が設けられている。開封用切断線３８は、折罫線２４に交差する位置よりも、折罫線２６に交差する位置が、端部２２ａに隣接する折罫線３６から離れる方向に傾斜している。
【００１６】
側面１６の、側面同士の連接方向に対して直角な方向の両端部には、矩形の端面４０が折罫線４２で区切られて各々設けられている。端面４０の、折罫線４２と反対側の端部には、糊付片４４が折罫線４６で区切られて各々設けられている。側面１６には、側面１４の開封用切断線３８に連続する開封用切断線４８が設けられ、開封用切断線４８は折罫線４２に対して平行である。開封用切断線４８は、途中の数か所で切り残され、連結部が設けられている。側面１６の中心には、後述するＰＴＰシートの突出部８０ａを視認できる透孔５０が設けられている。透孔５０は、折罫線２６に対して平行な方向を長径とする長丸形状である。
【００１７】
側面１８の、側面同士の連接方向に対して直角な方向の両端部には、矩形のフラップ５２が折罫線５４で区切られて各々設けられている。側面１８には、側面１６の開封用切断線４８に連続する開封用切断線５６が設けられている。開封用切断線５６は、途中の一か所で切り残され、連結部が設けられている。開封用切断線５６は、折罫線２８に交差する位置よりも、折罫線３０に交差する位置が、端部２２ａの延長線上に位置する折罫線５４に近づく方向に傾斜している。
【００１８】
側面２０の、側面同士の連接方向に対して直角な方向の両端部には、何も設けられていない。側面２０には、側面１８の開封用切断線５６に連続する折罫線５８が設けられている。折罫線５８は、側面同士の連接方向に対して平行である。
【００１９】
側面２０の、折罫線３０と反対側の側縁部には、包装用箱１０の組み立て状態で側面１４の裏面に重ねられる連結片６０が、折罫線６２で区切られて設けられている。連結片６０は、側面１４よりわずかに小さい形状であり、側面同士の連接方向の端部は、折罫線６２から離れるに従って互いに近づくように、傾斜して設けられている。連結片６０には、側面２０の折罫線５８に連続する開封用切断線６４が設けられ、開封用切断線６４は、途中の一か所で切り残され、連結部が設けられている。開封用切断線６４は、折罫線６２に交差する位置よりも、連結片６０の反対側の側縁部に交差する位置が、端部２２ａの延長線上に位置する端部から離れる方向に傾斜し、連結片６０が側面１４に重ねられた時に開封用切断線３８と重なる形状である。
【００２０】
連結片６０の、折罫線６２と反対側の側縁部には、箱体１１に収容される台紙１３が連接して設けられている。台紙１３には、後述するＰＴＰシート７８を挟む第１側面６８と第２側面７２が設けられている。第１側面６８は、連結片６０の、折罫線６２と反対側の側縁部に、分離用切断線６６を介して連接し、分離用切断線６６は、途中の３か所に切り残された連結部が設けられている。分離用切断線６６は、箱体１１の複数の折罫線２４，２６，２８，３０と平行に形成されている。第１側面６８は、包装用箱１０の組み立て状態で側面１６の裏面に重ねられるものであり、側面１６より僅かに小さい矩形である。第１側面６８の中心には、透孔５０とほぼ同じ形状の透孔７０が設けられている。第１側面６８の、分離用切断線６６と反対側の側縁部には、第２側面７２が折罫線７４を介して連接している。第２側面７２は第１側面６８と同形状であり、第２側面７２の中心には、透孔７０と同形状の透孔７６が設けられている。
【００２１】
上述の各折罫線には、折りやすくするために切断線が設けられてもよい。また、各開封用切断線と分離用切断線６６に設けられる連結部は、どの位置に設けられてもよく、数も適宜変更可能である。各開封用切断線と分離用切断線６６は、破線に、各々小さい切断線が所定角度で連結するジッパー線でもよい。また、各側面と各端面と、第１側面６８と第２側面７２の表面には、錠剤８２についての情報が印刷されている。
【００２２】
ここで、包装用箱１０に収容するＰＴＰシート７８について説明する。ＰＴＰシート７８は、プラスチック成形体８０が設けられ、プラスチック成形体８０には、収容物である錠剤８２を収容する突出部８０ａと、突出部８０ａの周縁部のフランジ部８０ｂが設けられている。ここでは、１個の突出部８０ａがプラスチック成形体８０の中心に設けられたものである。プラスチック成形体８０のフランジ部８０ｂには、突出部８０ａの突出方向と反対の面に薄いアルミ製の蓋材シート８４が貼り付けられ、突出部８０ａが閉鎖されている。
【００２３】
次に、包装用箱１０の組立方法について説明する。ここでは、図４が箱体形成片１２の表面を見たものであり、表面が凸になる折り方を正折り、そして裏面が凸になる折り方を逆折りと称する。まず、第１側面６８に、ＰＴＰシート７８のプラスチック成形体８０側の面を重ねて取り付ける。このとき、透孔７０にＰＴＰシート７８の突出部８０ａを差し込む。そして、第２側面７２の裏面に糊８６を塗布する。糊８６は、透孔７６の両脇で、いずれも折罫線７４に対して略平行な直線形状に塗布する。そして、折罫線７４を正折りして、第１側面６８の裏面にＰＴＰシート７８を挟みながら第２側面７２を糊付けする。このようにして台紙１３は畳み状態となり、ＰＴＰシート７８を保持した状態となる。ＰＴＰシート７８の、プラスチック成形体８０の突出部８０ａの裏面には透孔７６が位置する。次に、分離用切断線６６を正折りし、台紙１３を側面２０の裏面に重ねる。折罫線３０を正折りし、覆い片２２の裏面に糊８８を塗布する。糊８８は、折罫線２４に沿う直線であり、端部２２ａ近傍から、反対側の端部近傍に達するものであり、折罫線３２をまたいで塗布されている。そして折罫線２６を正折りし、側面２０の表面に覆い片２２を糊付けする。この時、箱体形成片１２は折り畳み状態となり、側面２０の透孔５０から、ＰＴＰシート７８の突出部８０ａが外側へ突出する。
【００２４】
次に、折罫線２４，２６，２８，３０を各々９０°に正折りして四角の筒体にする。次に、筒体の両端部に位置するフラップ３４，５２を折罫線３６，５４で正折りし、糊付片４４の裏面に糊９０を塗布し、糊９０は糊付片４４の長手方向に沿う直線状に塗布する。そして、端面４０を折罫線４２で正折りし、次に糊付片４４を折罫線４６で正折りする。これにより、糊付片４４の裏面は、糊９０により側面２０の表面に糊付けされ、箱体の両方の端部が形成される。これで包装用箱１０の組立が完了し、図３に示す状態となる。なお、組み立てる順序は上記以外でもよい。
【００２５】
包装用箱１０から錠剤８２を取り出す時は、側面１６の開封用切断線４８の連結部を破断して開封用切断線４８で分割し、押し広げると側面１４の開封用切断線３８と、側面１８の開封用切断線５６、連結片６０の開封用切断線６４も連続して連結部が破断して分割され、箱体の一部が側面２０の折罫線５８を中心に回転し、図２に示すように開封する。開封した部分には、台紙１３の一方の端部が露出する。露出する台紙１３を引くと、箱体１１と台紙１３の境界である分離用切断線６６が切断されて、箱体１１との連結がなくなり、図１に示すように台紙１３を取り出すことができる。そして、台紙１３の第１側面６８の透孔７０から突出するＰＴＰシート７８の突出部８０ａを押す。錠剤８２がＰＴＰシート７８の蓋材シート８４に押し付けられて蓋材シート８４は破断し、錠剤８２がＰＴＰシート７８から出て、第２側面７２の透孔７６を通過して取り出される。
【００２６】
この実施形態の包装用箱１０によれば、簡単な構造で、ＰＴＰシート７８を安全に箱体１１で収納保持することができ、誤飲や誤って錠剤が落下してしまうこと等を防ぐことができる。また、簡単な操作により、ＰＴＰシート７８を台紙１３に付けた状態で取り出すことができ、取り扱いやすいものであり、箱体１１から取り出した後に、台紙１３に印刷された情報を確認することができる。箱体１１から台紙１３を外してから錠剤８２を服用するまで時間があく場合でも、台紙１３が取り付けられ、目につきやすい状態で置いておくこともできるので、飲み忘れや紛失等を防ぐことができる。箱体１１と台紙１３は分離用切断線６６を介して一体に設けられているため、組立工程が容易であり、自動包装機による包装が可能である。箱体１１から台紙１３を取り出す時は、開封用切断線３８，４８，５６を破断し折罫線５８で折り曲げて、簡単に箱体１１を開封することができ、開封した部分に露出する台紙１３を引くだけで、台紙１３を箱体１１から分離して取り出すことができる。箱体１１の側面１６にはＰＴＰシート７８の突出部８０ａに一致する透孔５０が設けられているため、ＰＴＰシート７８に収容されている錠剤８２が視認され、錠剤８２を確認しながら開封することができる。
【００２７】
次にこの発明の第二実施形態について図５、図６に基づいて説明する。なお、ここで、上記実施形態と同様の部材は同様の符号を付して説明を省略する。この実施形態の包装用箱９２は、紙製等の一枚のブランクシートで形成された箱体形成片９４を組み立てて設けられている。図６は、箱体形成片９４を表面から見た展開図であり、箱体形成片９４は、収容物である錠剤８２等が入れられた後述のＰＴＰシート７８を収容する箱体１１を形成する側面１４，１６，１８，２０が、互いに平行に連接して形成され、側面１４の側縁部には、箱体形成片９４の組み立て状態で側面２０の表面に糊付けされる覆い片２２が設けられている。覆い片２２、側面１４，１６，１８，２０には、第一実施形態の包装用箱１０と異なり、折罫線３２、開封用切断線３８，４８，５６、折罫線５８が設けられていない。また、フラップ３４，５２、端面４０、糊付片４４も設けられていない。
【００２８】
側面１６の中心には透孔５０が設けられ、透孔５０と、側面同士の連接方向に対して直角な一方の端部１６ａの間に、開封用切断線９６が設けられている。開封用切断線９６は、端部１６ａから、折罫線２６に沿って形成され、所定の位置で折罫線２６から離れ、透孔５０の近傍に達する傾斜線となり、透孔５０の近傍を通過して端部１６ａに対して平行となり、折罫線２８に、直角に交差している。開封用切断線９６は途中の数か所で切り残され、連結部が設けられている。開封用切断線９６は、破線に、各々小さい切断線が所定角度で連結するジッパー線でもよい。
【００２９】
側面２０の、折罫線３０と反対側の側縁部には、連結片６０が設けられている。連結片６０には、第一実施形態の包装用箱１０に示す開封用切断線６４は、設けられていない。連結片６０の、折罫線６２と反対側の側縁部には、台紙１３である第１側面６８と第２側面７２が設けられている。
【００３０】
次に包装用箱９２の組立方法について説明する。まず、第１側面６８に、ＰＴＰシート７８を重ね、第２側面７２の裏面に糊８６を塗布し、折罫線７４を正折りする。次に、分離用切断線６６を正折りし、台紙１３を側面２０の裏面に重ねる。折罫線３０を正折りし、覆い片２２の裏面に糊８８を塗布する。次に、折罫線２６を正折りし、側面２０の表面に覆い片２２を糊付けする。折罫線２４，２６，２８，３０を各々糊９０°に正折りし、四角の筒体にし、箱体１１の組立が完了する。なお、組み立てる順序は上記以外でもよい。
【００３１】
包装用箱９２から錠剤８２を取り出す時は、側面１６の、端部１６ａと折罫線２６が交差する部分を保持し、引き上げて開封用切断線９６を切断する。側面１６は開封用切断線９６で２分割され、端部１６ａ側の部分が折罫線２８を中心に回転し、開封される。開封した部分には、台紙１３の一方の端部が露出する。露出する台紙１３を引くと、箱体１１と台紙１３の境界である分離用切断線６６が切断されて、箱体１１との連結がなくなり、図５に示すように台紙１３を取り出すことができる。そして、台紙１３の第１側面６８の透孔７０から突出するＰＴＰシート７８の突出部８０ａを押し、錠剤８２が取り出される。
【００３２】
この実施形態の包装用箱９２によれば、上記実施の形態と同様の効果を有するものである。箱体１１には上記の実施形態のような端面４０がなく、筒体であり、簡易的で組立が容易であり、開封の操作が容易である。
【００３３】
なお、発明の包装用箱は、上記実施の形態に限定されるものではなく、収容する錠剤の数は適宜変更可能であり、また収容されるものは、錠剤やカプセル等の薬剤に限らず、他の商品でもよい。箱体の各部材の形状は自由に変更可能であり、端面や覆い片、開封を形成する切断線の、位置や形状等、適宜変更可能である。
【符号の説明】
【００３４】
１０，９２  包装用箱
１１  箱体
１２，９４  箱体形成片
１３  台紙
１４，１６，１８，２０  側面
２２  覆い片
３８，４８，５６，９６  開封用切断線
５０  透孔
６６  分離用切断線
７８  ＰＴＰシート
８０  プラスチック成形体
８０ａ  突出部
８０ｂ  フランジ部
８２  錠剤
【図１】
2018002177.tif 000003
【図２】
2018002177.tif 000004
【図３】
2018002177.tif 000005
【図４】
2018002177.tif 000006
【図５】
2018002177.tif 000007
【図６】
2018002177.tif 000008